(57)【要約】【課題】運動機能性エアロゾルを製造して、汚染物質と接触させ、剥離作用を行うことで、人体、器物の表面及びそれらの置かれる環境を清浄化する洗浄方法を提供する。【解決手段】永久磁石のＮ極同士を向かい合わせ、かつ、その近傍にゲルマニウム内在黒雲母を配置させた反発磁界の内部を通過させた水中に、気泡を存在させてつくったエアロゾルを汚染物質と接触させる。【選択図】図１
2007152227.tif 000002
【特許請求の範囲】
【請求項１】
永久磁石のＮ極同士を向かい合わせ、かつ、その近傍にゲルマニウム内在黒雲母を配置させた反発磁界の内部を通過させた水中に、気泡を存在させてつくったエアロゾルを汚染物質と接触させることを特徴とする洗浄方法。
【請求項２】
永久磁石のＮ極同士を向かい合わせ、かつ、その近傍にゲルマニウム内在黒雲母を配置させた反発磁界の内部を通過させた水中に、加圧強制溶解させた気体を爆裂させて得た気泡を分散させてつくったエアロゾルを、汚染物質と接触させることを特徴とする洗浄方法。
【請求項３】
永久磁石のＮ極同士を向かい合わせ、かつ、その近傍にゲルマニウム内在黒雲母を配置させた反発磁界の内部を通過させた水中を減圧にして吸引した気体を分散させてつくったエアロゾルを、汚染物質と接触させることを特徴とする洗浄方法。
【請求項４】
永久磁石のＮ極同士を向かい合わせ、かつ、その近傍にゲルマニウム内在黒雲母を配置させた反発磁界の内部を通過させた水中に界面活性剤を添加し、攪拌して気泡を巻き込んでつくったエアロゾルを、汚染物質と接触させることを特徴とする洗浄方法。
【請求項５】
汚染物質が金属、疎水性有機物及び金属石けんからなる複合汚染物質であることを特徴とする請求項１ないし４のいずれかに記載の洗浄方法。
【請求項６】
汚染物質が皮脂及び金属石けんからなる複合汚染物質であることを特徴とする請求項１ないし４のいずれかに記載の洗浄方法。
【請求項７】
汚染物質が非水溶性無機物、疎水性有機物及びカーボンからなる複合汚染物質であることを特徴とする請求項１ないし４のいずれかに記載の洗浄方法。
【請求項８】
汚染物質が皮脂分解物及び腐植土からなる複合汚染物質であることを特徴とする請求項１ないし４のいずれかに記載の洗浄方法。
【発明の詳細な説明】
【技術分野】
【０００１】
本発明は、人体、器物の表面及びそれらの置かれる環境を清浄化することに関し、詳しくは運動機能性を有するエアロゾルを対象物に作用させることよりなる剥離洗浄技術に関するものである。
【背景技術】
【０００２】
従来、清浄、洗浄というテーマは人間の生活はもとより、産業形態の整備から環境の補修等に広く関係し、かつ、将来に亘って常に必要とすることであるから、数多くの研究、開発がなされている。
【０００３】
そして、これまでに実用化されてきた洗浄方法の大部分は、溶解パラメーターによって選定した有機溶剤や酸若しくはアルカリを使用して、清浄化対象物に付着している汚染物を溶解させて、除去するか、あるいは、界面活性剤の種類の中から構造的に適したものを洗剤として選んでＣＭＣ（臨界ミセル濃度）以上の水溶液とした後、洗浄対象物と接触させ、その水溶液の表す吸着力、湿潤力、可溶化力、乳化力及び分散力によって汚染物質を界面活性剤ミセルの側に移行させて、除去するという作用機構によるものであった。
【０００４】
一方、泡を用いて行なう剥離分別という技術では、古くから鉱業分野で浮遊選鉱法が知られ、捕収剤の油と起泡剤の界面活性剤を添加した水の中に細粉された鉱石を投入した後、空気流を送り、生じた気泡に乗せて油に濡れた目的の鉱物だけを浮遊させて、採取する方法が知られていた。（例えば、山本▲しゅん▼一著“界面活性剤と其應用”１９５２年、株式会社理工出版社）
【０００５】
近年、これからの地球環境の保全が特に重要視されて河川、湖沼の富栄養化対策が真剣に討議され、また、この環境の中で生活している人間、その他の動物にとっても、アレルギー、アトピー等に影響を及ぼす環境ホルモンや刺激性有機化合物と接する機会をできる限り少なくする必要上、溶剤や洗剤を使用しない洗浄方法を開発、実用化させることが強く望まれてきた。
【０００６】
かかる時、水中に加圧条件で強制溶解させた空気が不安定になって気泡になる際の系の圧力変化や、生じた気泡が洗浄対象物を摩擦しつつ浮上する際に付着汚染物を同伴させるという、化学物質を使用しないバブリング洗浄方法が考えられてきた。（例えば、特許文献１参照）
【特許文献１】特開平６−２９６９３７号
【特許文献２】特開２００５−０８１２２８号
【発明の開示】
【発明が解決しようとする課題】
【０００７】
しかしながら、これまでの技術のような気体の作用だけを基本にしているバブリング洗浄方法では、気泡粒径を小さくすることで洗浄対象物との間の接触回数を増やしても、気泡自体の摩擦力そのものが弱いために、溶剤や洗剤の力を利用する化学的洗浄方法のように対象物表面に付着している汚染物質を完全に剥離除去させることが困難であった。そして、この傾向は、有機物汚染と無機物汚染の共存している系において、特に見られた。
【０００８】
また、従来のバブリング洗浄方法においては、洗剤を使用する界面活性エアロゾルと異なり、気泡自体が水中で安定状態を保持し難いので、性能面での再現性にも問題があった。
【０００９】
さらには、空気と水を単に洗浄対象物と接触させるだけの今までの洗剤を使用しないバブリング洗浄方法では、汚染物質を取って包み込むという化学的洗浄方法の場合と異なり、剥離させた汚染物質がそのままの状態で水表面や内部に存在するので、それから発せられる異臭、悪臭が環境阻害を招くこともしばしばあった。
【課題を解決するための手段】
【００１０】
本発明者は、上記課題を解決するために鋭意研究を重ねた結果、反発磁界の構築下に遠赤外線を放射させている条件空間を通過させて作製した微弱振動水中に気泡を存在させてつくったエアロゾルを、複合汚染系を含めて汚染物質を付着している種々の洗浄対象物と接触させると、それぞれ短時間のうちに効率良く汚染物質が切り離されて再付着せず、清浄化された表面を再現性良く現出させると同時に、該エアロゾルにより剥離した汚染物質に基因する異臭、悪臭が感じられないということを見いだしたことにより、安全、簡便で、かつ、化学薬剤の併用を全く行なわないか、若しくは大幅に軽減させることで資源消費防止に協力し、しかも、環境保全と整備に貢献するという新規な洗浄方法の発明に到達した。
【００１１】
本発明の請求項１にあっては、永久磁石のＮ極同士を向かい合わせ、かつ、その近傍にゲルマニウム内在黒雲母を配置させた反発磁界の内部を通過させた水中に、気泡を存在させてつくったエアロゾルを汚染物質と接触させることを特徴とする洗浄方法である。
【００１２】
請求項２にあっては、永久磁石のＮ極同士を向かい合わせ、かつ、その近傍にゲルマニウム内在黒雲母を配置させた反発磁界の内部を通過させた水中に、加圧強制溶解させた気体を爆裂させて得た気泡を分散させてつくったエアロゾルを、汚染物質と接触させることを特徴とする洗浄方法である。
【００１３】
請求項３にあっては、永久磁石のＮ極同士を向かい合わせ、かつ、その近傍にゲルマニウム内在黒雲母を配置させた反発磁界の内部を通過させた水中を減圧にして吸引した気体を分散させてつくったエアロゾルを、汚染物質と接触させることを特徴とする洗浄方法である。
【００１４】
請求項４にあっては、永久磁石のＮ極同士を向かい合わせ、かつ、その近傍にゲルマニウム内在黒雲母を配置させた反発磁界の内部を通過させた水中に界面活性剤を添加し、攪拌して気泡を巻き込んでつくったエアロゾルを、汚染物質と接触させることを特徴とする洗浄方法である。
【００１５】
請求項５にあっては、汚染物質が金属、疎水性有機物及び金属石けんからなる複合汚染物質であることを特徴とする請求項１ないし４のいずれかに記載の洗浄方法である。
【００１６】
請求項６にあっては、汚染物質が皮脂及び金属石けんからなる複合汚染物質であることを特徴とする請求項１ないし４のいずれかに記載の洗浄方法である。
【００１７】
請求項７にあっては、汚染物質が非水溶性無機物、疎水性有機物及びカーボンからなる複合汚染物質であることを特徴とする請求項１ないし４のいずれかに記載の洗浄方法である。
【００１８】
請求項８にあっては、汚染物質が皮脂分解物及び腐植土からなる複合汚染物質であることを特徴とする請求項１ないし４のいずれかに記載の洗浄方法である。
【発明の効果】
【００１９】
以上説明したように、本発明によれば、エアロゾルを構成する気泡は、予め、永久磁石のＮ極同士を向かい合わせ、かつ、その近傍にゲルマニウム内在黒雲母を配置させた反発磁界の内部を通過させた水中に溶解させておいた気体から発生させたものでも、上記の水表面で接する外部の気体を誘導したものでも良く、したがって、広い範囲から、それぞれに簡便な手段で、本発明のエアロゾルを製造することができる。
【００２０】
さらに、永久磁石のＮ極同士を向かい合わせ、かつ、その近傍にゲルマニウム内在黒雲母を配置させた反発磁界の内部を通過させた水は、効率良く遠赤外線を吸収して、各分子に共鳴吸収振動を起させるために、エアロゾル中の気泡のブラウン運動を強め、一体となって剥離洗浄作用を促進させる。
【００２１】
一方、該遠赤外線共鳴吸収振動水自体は、表面張力が低下したものにはなっていないので、（例えば、特許文献２参照）一度剥離させた汚染物質を被洗浄物表面へ再付着させるような界面活性作用を示さず、したがって、本発明においては短時間で洗浄操作を終了させることができる。
【００２２】
また、本発明において製造したエアロゾルは、連続相、分散相共に運動機能性が高いので、被洗浄物から剥離した汚染物質より発せられる臭気成分をも捕捉する力を有しており、よって、洗浄操作時に感じる不快な異臭、悪臭を軽減させることができる。
【００２３】
なお、本発明においては、エアロゾルを構成する気泡の化学構造は特に限定されず、例えば、空気、Ｎ２ガス、炭酸ガス等、種々のものを使用することができる。また、原水も、イオン交換水、水道水、蒸留水、海水等、いずれでも良く、さらに、溶剤、界面活性剤等が混入している水溶液でも良い。
【００２４】
ここで、前記した本発明者らによる先願発明である特許文献２では、永久磁石のＮ極同士を向かい合わせ、かつ、その近傍にゲルマニウム内在黒雲母を配置させた導管内流水活性化器具の内部を通過させた水の呈する諸作用についての知見を開示しているが、洗浄作用の新機構の確立とそれに基づく作用効果の向上を目的として、遠赤外線共鳴吸収振動水を連続相とするエアロゾルを製造して、使用するという本発明までには到達していない。
【発明を実施するための最良の形態】
【００２５】
次に、本発明を実施例によって説明するが、本発明の洗浄方法とその有用性は以下の具体例だけに限定されるものではない。
【００２６】
（実施例１）
イカリ型攪拌機と温度計を具備する上蓋取り外し式の密閉型グラスライニング製攪拌装置に、図１のように、ネオジウム鉄ボロン永久磁石のＮ極同士を向かい合わせ、かつ、その表面に平均粒径５μｍのゲルマニウム内在黒雲母粉末を油性１液型アクリル樹脂系塗料の中に６０（重量）％分散させたものを、厚さ６０μｍ付着固定させた反発磁界の内部を通して６０℃のイオン交換水を１５００ｍｌ注入した後、加圧気体強制溶存−爆裂破泡器（但し、ＳＴＭエンジニアリング株式会社製超微細ハイパーフォームを使用）内をＮ２ガスと共に３分間循環させて、本発明のエアロゾルを製造した。
次に、その中に、１０日間使用後未洗浄のステンレス製スロットマシン用コイン２０枚及び真鍮製スロットマシン用コイン３０枚を投入し、回転速度１５０ｒｐｍで１０分間、回転接触洗浄を行なった。
【００２７】
（比較例１）
実施例１と同様の攪拌装置に、図１と同様のゲルマニウム内在黒雲母を近傍に配置させた反発磁界の内部を通過させて、６０℃のイオン交換水を１５００ｍｌ注入した。
つづいて、実施例１と同様に１０日間使用後未洗浄のステンレス製スロットマシン用コイン２０枚及び真鍮製スロットマシン用コイン３０枚を投入して、回転速度１５０ｒｐｍで１０分間、回転接触洗浄を行なった。
【００２８】
（比較例２）
実施例１と同様の攪拌装置に、６０℃のイオン交換水を１５００ｍｌ注入した後、実施例１と同様の加圧気体強制溶存−爆裂破泡器（但し、ＳＴＭエンジニアリング株式会社製超微細ハイパーフォームを使用）内をＮ２ガスと共に３分間循環させて、エアロゾルを製造した。
つづいて、実施例１及び比較例１と同様に１０日間使用後未洗浄のステンレス製スロットマシン用コイン２０枚及び真鍮製スロットマシン用コイン３０枚を投入して、回転速度１５０ｒｐｍで１０分間、回転接触洗浄を行なった。
【００２９】
実施例１、比較例１及び２の洗浄後液をそれぞれ採取し、ＪＩＳ  Ｋ−０１０１  ２６．２「ヘキサン抽出法」で油分を測定し、また、ＪＩＳ  Ｋ−０１０１  ６０．２準拠「ＩＣＰ−ＭＳ法」で鉄分、ＪＩＳ  Ｋ−０１０１  ５１．５「ＩＣＰ−ＭＳ法」で銅分の抽出量を測定した。
さらに、各洗浄液の臭気を嗅覚判定した。
【００３０】
結果を表１に示した。
【００３１】
【表１】
2007152227.tif 000003
【００３２】
表１から明らかなように、本発明における遠赤外線共鳴吸収振動水を使用してＮ２ガスをエアロゾル化した実施例１の洗浄方法は、金属、疎水性有機物及び金属石けんからなる複合汚染物質を非常に良く剥離除去させることが確認された。
【００３３】
（実施例２）
ＦＲＰ製家庭用浴槽（但し、日立化成工業株式会社製ＷＦ−１６１０ＡＴを使用）に、図２のように、フェライト永久磁石のＮ極同士を向かい合わせ、かつ、その表面に平均粒径５μｍのゲルマニウム内在黒雲母粉末をエポキシ樹脂に６５（重量）％分散させたものを、厚さ５０μｍ付着固定させた反発磁界の内部を通して２０℃の水道水（但し、埼玉県川口市使用のもの）を１５０ｌ及び平均粒径０．２μｍの炭酸カルシウム粉末１５ｇを入れて４０℃に加熱した後、減圧気泡誘導発生器（但し、株式会社大日テクノグリーン製ナノマイズシステムジョーカーを使用）を投入して空気泡を巻き込み、本発明のエアロゾルを製造した。
次に、その中に、機械製造工場における１日の実働８時間を終了した未入浴の成人男子１０名を無作為に選んで対象者とし、身体を入浴用洗剤で洗わない状態のまま、１０分間、浸漬してもらい、本発明のエアロゾルによる剥離洗浄方法を施した。
【００３４】
（比較例３）
実施例２と同様の浴槽に、図２と同様のゲルマニウム内在黒雲母を近傍に配置させた反発磁界の内部を通過させて、２０℃の水道水（但し、埼玉県川口市使用のもの）を１５０ｌ注入して、４０℃に加熱した。
つづいて、実施例２と同条件の成人男子１０名を無作為に選んで対象者とし、身体を入浴用洗剤で洗わない状態のまま、１０分間、浸漬してもらった。
【００３５】
（比較例４）
実施例２と同様の浴槽に、２０℃の水道水（但し、埼玉県川口市使用のもの）を１５０ｌ注入して、４０℃に加熱した後、実施例２と同様の減圧気泡誘導発生器（但し、株式会社大日テクノグリーン製ナノマイズシステムジョーカーを使用）を投入して、空気泡を巻き込み、エアロゾルを製造した。
つづいて、実施例２及び比較例３と同条件の成人男子１０名を無作為に選んで対象者とし、身体を入浴用洗剤で洗わない状態のまま、１０分間、浸漬してもらった。
【００３６】
実施例２、比較例３及び４について、入浴用洗剤を使用せずに、浴槽内だけの操作での身体の皮脂汚れの剥離洗浄性の優劣を入浴者の感覚で判定した。また、各例について、それぞれ１０人分の合計量１５００ｌの入浴水を４０℃で流し出した後、１ヶ月間除去処理をせずに湯垢が蓄積している浴室据え付け排水口の洗浄性を、油脂分解物臭の有無を嗅覚で調べ、判定した。
【００３７】
（１）身体の皮脂汚れの剥離洗浄性の優劣
次の判定基準とした。
Ａ…１０人の入浴者全員が、皮脂汚れが取れて、表皮がきれいになったと判定したもの。
Ｂ…１０人の入浴者中、７〜９人が皮脂汚れが取れて、表皮がきれいになったと判定したもの。
Ｃ…１０人の入浴者中、４〜６人が皮脂汚れが取れて、表皮がきれいになったと判定したもの。
Ｄ…１０人の入浴者中、皮脂汚れが取れて、表皮がきれいになったと判定した人が３人以下のもの。
【００３８】
（２）排水口の皮脂分解物臭の有無に基づく洗浄性
次の判定基準とした。
○…１０人の入浴者中、７人以上が皮脂分解物臭を感じないとしたもの。
△…１０人の入浴者中、４〜６人が皮脂分解物臭を感じないとしたもの。
×…１０人の入浴者中、皮脂分解物臭を感じないとした人が３人以下のもの。
【００３９】
結果を表２に示した。
【００４０】
【表２】
2007152227.tif 000004
【００４１】
表２からわかるように、それぞれ異なる技術である比較例３と比較例４の浴槽水に対し、それらを一体化させつつ、さらに新規なエアロゾルを製造して浴槽水とし、身体に接触させた本発明実施例２の洗浄方法は、人の入浴時に入浴洗剤を使用しなくても充分に身体を清浄化できるという有益性を新たに生み出した。
また、比較例４の公知のバブリング洗浄方法では、身体から剥離した皮脂汚れが排水口に集積して、前からつくられていた不溶性のカルシウム塩等の金属石けんと複合し、グリース状の再汚染物を形成する傾向を示すのに対して、本発明の遠赤外線共鳴吸収振動水エアロゾルを使用する洗浄方法ではそれがなく、しかも、その前から存在していた金属石けんをも剥離させる傾向を示すという長所が見いだされた。
【００４２】
（実施例３）
ステンレス製貯留槽に２０℃の水道水（但し、埼玉県川口市使用のもの）１００ｌを注入したところに、実施例２で使用した図２の、フェライト永久磁石のＮ極同士を向かい合わせ、かつ、その表面に平均粒径５μｍのゲルマニウム内在黒雲母粉末をエポキシ樹脂に６５（重量）％分散させたものを厚さ５０μｍ付着固定させた内面反発磁界リングの中を通した塩化ビニル樹脂ホースの一端を浸漬させ、もう一端を加圧気体強制溶存−爆裂破泡器（但し、クリーン・ワールド株式会社製ＭＢ−ＷＡＮＫＯを使用）につないでから浸漬させ、空気と共に５分間循環させて、本発明のエアロゾルを製造した。
次に、製造したエアロゾルを１０日間使用並びに屋外駐車で未洗浄の普通自動車（但し、富士重工業株式会社製スバルインプレッサステーションワゴンでメタリックシルバー塗装のものを使用）の外部表面全体に１５ｌかけた後、木綿製タオル（但し、３４．５ｃｍ×５１．０ｃｍのもの）を使用して、平均加重３００ｇでの一度拭き操作による剥離洗浄方法を施した。
【００４３】
（比較例５）
実施例３と同条件の１０日間使用並びに屋外駐車で未洗浄の普通自動車（但し、富士重工業株式会社製スバルインプレッサステーションワゴンでメタリックシルバー塗装のものを使用）の外部表面全体に２０℃の水道水（但し、埼玉県川口市使用のもの）を１５ｌかけた後、実施例３と同様の木綿タオルを使用して、平均加重３００ｇでの一度拭き操作を行なった。
【００４４】
（比較例６）
実施例３と同様のステンレス製貯留槽に２０℃の水道水（但し、埼玉県川口市使用のもの）１００ｌを注入したところに、加圧気体強制溶存−爆裂破泡器（但し、クリーン・ワールド株式会社製ＭＢ−ＷＡＮＫＯを使用）の給水ノズルと気泡発生ノズルの二つを浸漬させ、５分間循環させて、エアロゾルを製造した。
次に、製造したエアロゾルを実施例３及び比較例５と同条件の１０日間使用並びに屋外駐車で未洗浄の普通自動車（但し、富士重工業株式会社製スバルインプレッサステーションワゴンでメタリックシルバー塗装のものを使用）の外部表面全体に１５ｌかけた後、実施例３及び比較例５と同様の木綿製タオルを使用して、平均加重３００ｇでの一度拭き操作を行なった。
【００４５】
実施例３及び比較例５及び６について、試験体として使用した普通自動車外部の塗装箇所、ガラス窓部及びタイヤの洗浄性の優劣を先ず目視で判定し、さらに、嗅覚で洗浄後の表面の残臭の度合いを調べた。
【００４６】
（１）塗装箇所の洗浄性
次の判定基準とした。
Ａ…全面が清浄化されて光沢があり、鉱物油臭が無く、疎水性を呈しているもの。
Ｂ…光沢があり、また、鉱物油臭も無いが、全面が完全に疎水性になっていないもの。
Ｃ…光沢はあるが、全体的に黒づんでおり、鉱物油臭が少し残っているもの。
Ｄ…表面に不規則な黒づみがあり、鉱物油臭が残っているもの。
【００４７】
（２）ガラス窓部の洗浄性
次の判定基準とした。
Ａ…全面が親水性を呈しており、乾いた後も均一透明な清浄面を保持しているもの。
Ｂ…全面的に親水性にはならず、乾いた後は透面ではあるが少し油膜の残存が見られるもの。
Ｃ…濡れている時は透明であるが、乾いた後に不透明なシミの残存が見られるもの。
Ｄ…拭いた後が疎水性のままであり、乾いた後に油膜と不透明なシミの残存が見られるもの。
【００４８】
（３）タイヤの洗浄性
次の判定基準とした。
Ａ…鉱物油汚れやカーボンの付着が無く、非水溶性無機物の残存が見られないもの。
Ｂ…カーボンの付着や非水溶性無機物の残存は見られないが、少し鉱物油汚れがあるもの。
Ｃ…非水溶性無機物の残存は見られないが、鉱物油汚れやカーボンの付着があるもの。
Ｄ…鉱物油汚れやカーボンの付着があり、また、非水溶性無機物の残存も見られるもの。
【００４９】
結果を表３に示した。
【００５０】
【表３】
2007152227.tif 000005
【００５１】
表３に見られるように、空間と地面の両方から非水溶性無機物や疎水性有機物及びカーボン等が集められ、静電気吸着や粘着力などによって一体化し、複合汚染している自動車表面の洗浄は、単なる水による拭き取り操作や気泡による摩擦だけでは不完全であり、外部から熱エネルギーを吸収して連続相の水、分散相の気泡共に運動機能性を持たせた新規なエアロゾルを用いる本発明の洗浄方法を行なうことではじめて十分な効果が得られるということが確認された。
【００５２】
（実施例４）
イカリ型攪拌機と温度計及び気体流入管を具備する開放型ステンレス製攪拌装置に、実施例１で使用した図１の、ネオジウム鉄ボロン永久磁石のＮ極同士を向かい合わせ、かつ、その表面に平均粒径５μｍのゲルマニウム内在黒雲母粉末を油性１液型アクリル樹脂系塗料の中に６０（重量）％分散させたものを、厚さ６０μｍ付着固定させた反発磁界の内部を通過させた３０℃の水道水（但し、埼玉県川口市使用のもの）１００ｌとドデシル硫酸ナトリウム１５ｇ及びポリ（８）オキシエチレン＝ドデシルエーテル１０ｇを仕込み、回転速度１００ｒｐｍで攪拌を行ないつつ、０．３ｋｇ／ｃｍ２でＮ２ガスを１分間流入して、本発明のエアロゾルを製造した。
次に、その中に、８時間腐植土積出し作業に従事した人が使用した平均表面反射率３０％の汚染手袋（但し、木綿：ポリエステル：レーヨン＝５：４：１の白色原布を使用）を５０枚投入し、回転速度１００ｒｐｍで３０分間、回転接触洗浄を行なった。
つづいて、洗浄液を排出させ、同様に図１のゲルマニウム内在黒雲母を近傍に配置させた反発磁界の内部を通過させた２０℃の水道水を１００ｌづつ、合計２回、１回につき３分間、回転接触すすぎ洗浄を行なった。
しかる後、洗浄手袋を取り出し、ドラム乾燥機に入れて４５分間処理し、乾燥させた。
【００５３】
（実施例５）
はじめに、使用量を変えて図１のゲルマニウム内在黒雲母を近傍に配置させた反発磁界の内部を通過させた３０℃の水道水（但し、埼玉県川口市使用のもの）１００ｌの中にドデシル硫酸ナトリウム３ｇとポリ（８）オキシエチレン＝ドデシルエーテル２ｇを投入する以外は、全て実施例４と同条件及び同様の方法で汚染手袋の回転接触洗浄並びに回転接触すすぎ洗浄を行ない、また、洗浄手袋を乾燥させた。
【００５４】
（比較例７）
実施例４及び５と同様の開放型ステンレス製攪拌装置に、３０℃の水道水（但し、埼玉県川口市使用のもの）を１００ｌとドデシル硫酸ナトリウム１５ｇ及びポリ（８）オキシエチレン＝ドデシルエーテル１０ｇを仕込み、回転速度１００ｒｐｍで攪拌を行ないつつ、０．３ｋｇ／ｃｍ２でＮ２ガスを１分間流入して、エアロゾルを製造した。
次に、その中に、実施例４及び５と同条件の汚染手袋を５０枚投入し、回転速度１００ｒｐｍで３０分間、回転接触洗浄を行なった後、２０℃の水道水を１００ｌづつ、合計２回、１回につき３分間、回転接触すすぎ洗浄を行なった。つづいて、洗浄手袋を取り出し、ドラム乾燥機に入れて４５分間処理し、乾燥させた。
【００５５】
実施例４、５及び比較例７の洗浄手袋の表面反射率を光電反射計で調べ、洗浄前の汚染手袋の平均表面反射率である３０％より大きく上回った洗浄手袋の数量を調べて、優劣を判定した。
判定基準は次の通りである。
◎…洗浄手袋５０枚全てが、汚染手袋の平均表面反射率の２倍（６０％）以上の表面反射率になっているもの。
○…洗浄手袋５０枚中、４５〜４９枚の表面反射率が汚染手袋の２倍以上になっているもの。
△…洗浄手袋５０枚中、３５〜４４枚の表面反射率が汚染手袋の２倍以上になっているもの。
×…洗浄手袋５０枚中、表面反射率が汚染手袋の２倍以上になっている物が３４枚以下のもの。
【００５６】
また、すすぎ前の洗浄廃液並びに乾燥処理後の洗浄手袋の臭気について、１０人の試験者に嗅覚判定してもらい、そのうちの７人以上の判断が同一であるものを示した。
【００５７】
結果を表４に示した。
【００５８】
【表４】
2007152227.tif 000006
【００５９】
表４からわかるように、洗剤による界面活性エアロゾルについても、本発明により連続相の水に外部から熱エネルギーを付与して、全体を運動機能性エアロゾルに変革させると、洗浄性が向上するという効能が生じ、また、洗剤の使用量を少なくできるという長所が見いだされた。さらに、被洗浄物については、洗浄液からの有機物の再汚染を防止し、かつ、洗浄廃液については、剥離除去した汚染物中の有害成分の気散を抑制して、異臭、悪臭を断つという環境対策面での有益性も確認された。
【図面の簡単な説明】
【００６０】
【図１】本発明の主原料のゲルマニウム遠赤外線共鳴吸収水を製造するための組み合わせ型反発磁界器具の断面図である。
【図２】本発明の主原料のゲルマニウム遠赤外線共鳴吸収水を製造するための一体型反発磁界器具の断面図である。
【符号の説明】
【００６１】
１  永久磁石
２  ゲルマニウム内在黒雲母
３  保持助材
４  保持材
５  器具取り付け固定用ネジ
【図１】
2007152227.tif 000007
【図２】
2007152227.tif 000008